(57)【要約】【課題】防犯性を向上させ、十分な換気を確保することができるとともに、扉の色合わせを単純にする。【解決手段】扉に設けられた換気框５と、前記換気框５の中央部に形成された空気流通用開口部を室内側から開閉する蓋框６と、前記換気框５に対して前記蓋框６を開閉可能に連結する連結機構とを備えるとともに、上記換気框５の内側開口部を覆うように防虫ネット９を配置した換気装置において、上記防虫ネット９の屋外側にはネット保護パネル１６を配置し、ネット保護パネルの両側を上記換気框まで延長し、上記ネット保護パネル１６と防虫ネット９及び換気框５との間には通風間隙Ｓを形成した。【選択図】図１
2010043520.tif 000002
【特許請求の範囲】
【請求項１】
扉に設けられた換気框と、前記換気框の中央部に形成された空気流通用開口部を室内側から開閉する蓋框と、前記換気框に対して前記蓋框を開閉可能に連結する連結機構とを備えるとともに、上記換気框の内側開口部を覆うように防虫ネットを配置した換気装置において、上記防虫ネットの屋外側にはネット保護パネルを配置し、ネット保護パネルの両側を上記換気框まで延長し、上記ネット保護パネルと防虫ネット及び換気框との間には通風間隙を形成したことを特徴とする換気装置。
【請求項２】
上記ネット保護パネルは、上記扉の高さと略同じ長さを有していることを特徴とする、請求項１に記載の換気装置。
【請求項３】
上記ネット保護パネルは、上記換気框の屋外側に設けられたカバー枠に取り付けられたことを特徴とする、請求項１又は２に記載の換気装置。
【請求項４】
上記空気流通用開口部の両側部には、上記扉の高さと略同じ長さの化粧枠を設け、これらの化粧枠の屋外側に上記ネット保護パネルを配置したことを特徴とする、請求項１〜３のいずれかに記載の換気装置。
【請求項５】
上記ネット保護パネルは着脱自在に設けられていることを特徴とする、請求項4に記載の換気装置。
【発明の詳細な説明】
【技術分野】
【０００１】
本発明は、窓、扉等に設置される換気装置に関する。
【背景技術】
【０００２】
窓や扉等に設けられた換気構造として、通風機能が付与された扉が知られている（特許文献１）。この扉は、中央部に設けられた通風機構ユニットにより換気されるようになっている。
【０００３】
この通風機構ユニットには防虫ネットが配設され、防虫ネットから空気が出入りするようになっている。
【先行技術文献】
【特許文献】
【０００４】
【特許文献１】特開２００６−１６９９４１
【発明の概要】
【発明が解決しようとする課題】
【０００５】
しかしながら、防虫ネットは簡単に切断することができるため、防犯性に問題がある。また、防虫ネットが外部に露出する構成では、紫外線や風の影響を受けやすく、汚れたり、色落ちしたり、風圧によって撓みが生じたりするという欠点がある。
【０００６】
このため、防虫ネットの正面側を覆うカバーを設けることも考えられるが、換気用の通風は防虫ネットを通っていくので、防虫ネットの前にカバーを設けると通風間隙が小さくなって換気効果が阻害されてしまう。
【０００７】
また、従来の換気装置は、防虫ネットだけでなく換気框や防虫ネットの框体も外部に露出する。外部に露出する部材が多数あると、換気装置の色は、その周囲の扉の框、扉のパネルなどに合わせなければならないので、外部に露出する部材が多数あると、色合わせが煩雑となり、コストも上がるという問題があった。
【０００８】
本発明は上記問題点を解消し、防虫ネットをカバーして保護し、防犯性を向上させることができ、しかも十分な換気を確保することができるとともに、扉の色合わせが単純になり、コストを低減することができる換気装置を提供することをその課題とする。
【課題を解決するための手段】
【０００９】
上記課題を解決するため、請求項１に係る発明は、扉に設けられた換気框と、前記換気框の中央部に形成された空気流通用開口部を室内側から開閉する蓋框と、前記換気框に対して前記蓋框を開閉可能に連結する連結機構とを備えるとともに、上記換気框の内側開口部を覆うように防虫ネットを配置した換気装置において、上記防虫ネットの屋外側にはネット保護パネルを配置し、ネット保護パネルの両側を上記換気框まで延長し、上記ネット保護パネルと防虫ネット及び換気框との間には通風間隙を形成したことを特徴とする。
【００１０】
請求項２に係る発明は、請求項１において、上記ネット保護パネルは、上記扉の高さと略同じ長さを有していることを特徴とする。
【００１１】
請求項３に係る発明は、請求項１又は２において、上記ネット保護パネルは、上記換気框の屋外側に設けられたカバー枠に取り付けられたことを特徴とする。
【００１２】
請求項４に係る発明は、請求項１〜３のいずれかにおいて、上記空気流通用開口部の両側部には、上記扉の高さと略同じ長さの化粧枠を設け、これらの化粧枠の外側に上記ネット保護パネルを配置したことを特徴とする。
【００１３】
請求項５に係る発明は、請求項４において、上記ネット保護パネルは着脱自在に設けられていることを特徴とする。
【発明の効果】
【００１４】
請求項１に係る発明によれば、防虫ネットの屋外側にはネット保護パネルを配置したので、防虫ネットを外力から保護し、犯罪を防止する効果も有するとともに、防虫ネットが外部に露出することがないので、意匠性が向上し、さらに紫外線や風の影響を受けることがないから、汚れたり、風圧による撓み変形が生じたりすることがない。
【００１５】
また、ネット保護パネルの両側を換気框まで延長し、上記ネット保護パネルと防虫ネット及び換気框との間に通風間隙を形成して、空気はネット保護パネルの両側から内側に進入することができるようにしたので、通風間隙を全体として大きく確保することができ、十分に換気することができる。
【００１６】
さらに、換気装置の換気框や防虫ネットの取付框はネット保護パネルに覆われて外部に直接露出しないので、商品化において扉の色合わせをする場合、換気装置部分の色はネット保護パネルだけを他に合わせて揃えておけばよい。したがって、コストを低減することができる。
【００１７】
請求項２に係る発明によれば、ネット保護パネルは、上記扉の全長に沿って設けられるから、換気框の大きさに関係なく、全ての換気框を覆うことができる。
【００１８】
請求項３に係る発明によれば、ネット保護パネルは、防虫ネットを設けたカバー枠に取り付けられる構造であるから、ネット保護パネルの取り付け作業を容易に行うことができる。一般に防虫ネットは補修、交換のため取り外しできる構造になっているから、後付けすることも可能である。
【００１９】
請求項４に係る発明によれば、空気流通用開口部の両側部には、ネット保護パネルの屋内側に上記扉の高さと略同じ長さの化粧枠を設けたから、扉全体の意匠性が向上する。
【００２０】
請求項５に係る発明によれば、上記ネット保護パネルは着脱自在に設けられているから、防虫ネット等のメンテナンスを容易に行うことができる。
【図面の簡単な説明】
【００２１】
【図１】実施形態にかかる扉の正面図
【図２】図１のＸ−Ｘ線上の断面図
【図３】図２の要部の拡大横断面図
【図４】換気装置の開放状態の横断面図
【図５】他の実施形態の扉の正面図
【図６】図５のＹ−Ｙ線上の断面図
【図７】図５のＺ−Ｚ線上の断面図
【図８】図５の扉の換気装置の開放状態の断面図
【図９】上記換気框の取付手段を示す分解斜視図
【図１０】上記ネット保護パネルの取付手段を示す分解斜視図
【図１１】換気框に対するネット保護パネルの取り付け態様説明図
【発明を実施するための形態】
【００２２】
本発明に係る換気装置の実施形態を図面に基いて説明する。
【００２３】
この換気装置は、換気が必要な建物の任意の開口場所に設けることが可能であって、以下では、扉に設けられた換気装置の実施形態について説明する。
【００２４】
図１〜図４において符号Ｋは扉Ｄの換気装置を示す。扉Ｄは上下框１、２の間に４本の縦框３を方形に框組みして中央に空気流通用開口部を形成した框体に表面板２９を張り、その内部に充填材１０を充填したもので、窓枠内に回動自在に組み込まれている。
【００２５】
換気装置は、上記空気流通用開口部を開閉自在にしたもので、主に上記空気流通用開口部に方立状に配置された換気框５と、この換気框５の内側に形成された開口部４を開閉する蓋框６と、前記換気框５の開口部４を前記蓋框６により開閉可能に連結する連結機構７と、この連結機構７を介して、上記蓋框６により上記開口部４を閉鎖したり開放したりするとともに、上記開口部４の閉鎖時に上記蓋框６を換気框５側に係止させる操作部としてのハンドル部８とから構成されている。
【００２６】
次に、換気框５は、上下部框材１１、１２と左右の縦框材１３とを方形に框組みしてなるもので、上框１の下面と下框２の上面の各中央部には換気框５が扉Ｄを左右に画成するように配置され、換気框５の中央部の内側には開口部４が形成されている。また、換気框５の室外側には化粧用のカバー枠１４が取りつけられ、カバー枠１４の内側には防虫ネット９の取付用サヤ部が形成されている。これにより、防虫ネット９は換気框５の内側開口部４を覆うように配設される。
【００２７】
左右縦框材１３の内外２つの中空部１９、１８の各室内側の面にはタイト材の嵌合溝２２、２３が形成されている。この嵌合溝２２、２３は上下部框材１１、１２にもそれぞれ形成されている。これにより、上下左右の室内側嵌合溝２２にそれぞれ嵌合されたタイト材２４と上下左右の室外側嵌合溝２３にそれぞれ嵌合されたタイト材２５とにより、室内側開口縁の室内側面と室外側開口縁の室内側面とには、それぞれタイト材２４、２５が周設されている。室内側タイト材２４と室外側タイト材２５とが配設されている。
【００２８】
また、上記換気框５は主にアルミニウム等の金属から構成され、その左右の縦框材１３の室内側には合成樹脂製の樹脂換気框５ａが一体に設けられている。この樹脂換気框５ａと左右の室内側タイト材２４とは、換気框５の屋内側に平行に設けられている。なお、図示しないが、換気框５の上部框材１１と下部框材１２は上框１と下框２の樹脂上框と樹脂下框によって覆われている。
【００２９】
次に、上記蓋框６は、図３のように板状部６ａの背面の中央部に中空状の凸状部６ｂを突出形成した金属部の室内側に合成樹脂製の樹脂カバー２６を設けたもので、板状部６ａの幅は換気框５の幅よりもやや小さく形成され、中央部の長手方向に沿って凹部２７が形成されている。凸状部６ｂの幅は換気框５の外側中空部１８間の寸法よりも大きく、内側中空部１９間の寸法よりも小さくなるように形成されている。また、板状部６ａの両側背面には上記換気框５の室内側タイト材２４が当接可能な突条２８が形成され、凸状部６ｂの両側背面には上記換気框５の室外側タイト材２５が当接可能に形成されている。
【００３０】
さらに、上記蓋框６の板状部６ａの室内側面には合成樹脂製の樹脂カバー２６が設けられている。この樹脂カバー２６は板状部６ａの両側端と中央凹部２７とにそれぞれ係止することによって固定されている。上記蓋框６の上下端には合成樹脂製のキャップ（図示せず）が取り付けられている。
【００３１】
なお、換気框５が閉鎖しているときは、換気框５の左右の縦框材１３の室内側タイト材２４は蓋框６の突条２８に当接しているが、これは金属製の突条２８が軟質の室内側タイト材２４に圧接しているものであるから、室内外は確実にシールすることができる。
【００３２】
さらに、蓋框６と換気框５とは連結機構７によって連結され、蓋框６は連結機構７を介して開閉可能に設けられている。そして、蓋框６と換気框５とはロック手段により閉じ状態にロックし、またはロックを解除できるようになっている。このような連結機構や施錠・解錠機構は公知の手段によればよい。
【００３３】
上記構成において、上記換気装置によって換気を行うときは、ハンドル部８を略９０度回転させ、施錠を解除した後、図４に示されるように、ハンドル部８を手前に引いて室内側に蓋框６を引き出せばよい。これにより、換気框５の開口部４が開放されて矢印で示すような空気流通路２０が形成される。
【００３４】
換気装置は上述のように構成されているので、大容量の換気を可能とする共に、蓋框６を開閉作動させても外観の意匠は変わらないので、外部から換気中であるか否かがわかりにくく、換気中でも不審者の手や腕が侵入し難いので防犯性に優れている。
【００３５】
ところで、図３に詳しく示されているように、上記防虫ネットの屋外側にはネット保護パネル１６が配置されている。ネット保護パネル１６はアルミニウム等の金属、合成樹脂、木などから形成され、扉の高さと略同じ長さを有するとともに、中央部１６ａはカバー枠を含む防虫ネット９に対向する膨らみ、両側１６ｂは換気框５に近接する位置まで延長するように湾曲している。そして、中央部に複数の開口部３０が貫通形成され、また中央部の裏側にはカバー枠１４の両側縁に対応する位置に取付片１７が突出形成されている。そして、Ｌ字形の取付金具１５を介してカバー枠１４にビス止め固定されている。これにより、ネット保護パネル１６と防虫ネット９及び換気框５との間には通風間隙Ｓ（図４参照）が形成され、上記空気流通路２０が塞がれることはない。
【００３６】
なお、ネット保護パネル１６の上端にはキャップ（図示せず）が取り付けられるが、下端は開放してもよい。
【００３７】
また、取付片１７はネット保護パネル１６の全長にわたって形成してもよいが、取付部分を除いて切欠いてもよい。
【００３８】
さらに、ネット保護パネル１６は換気框５に取り付けてもよい。
【００３９】
上記構成の換気装置によれば、防虫ネット９の屋外側にはネット保護パネル１６を配置したので、防虫ネット９を外力から保護し、犯罪を防止する効果も有するとともに、防虫ネット９が外部に露出することがないので、意匠性が向上し、さらに紫外線や風の影響を受けることがないから、汚れたり、風圧による撓み変形が生じたりすることがない。
【００４０】
また、ネット保護パネル１６の両側を換気框５まで延長し、上記ネット保護パネル１６と防虫ネット９及び換気框５との間に通風間隙Ｓを形成し、空気はネット保護パネル１６の両側から内側に進入することができるようにしたので、通風間隙Ｓを全体として大きく確保することができ、十分に換気することができる。
【００４１】
さらに、換気装置の換気框５や防虫ネット９のカバー枠１４はネット保護パネル１６に覆われて外部に直接露出しないので、商品化において扉の色合わせをする場合、換気装置部分の色はネット保護パネル１６だけを他に合わせて揃えておけばよい。したがって、コストを低減することができる。なお、蓋框６の合成樹脂製の樹脂カバー２６も同様の効果が期待できる。
【００４２】
しかも、ネット保護パネル１６は、上記扉の全長に沿って設けられるから、換気框５の大きさに関係なく、全ての換気框を覆うことができる。
【００４３】
また、ネット保護パネル１６は、防虫ネット９を設けたカバー枠に取り付けられる構造であるから、ネット保護パネル１６の取り付け作業を容易に行うことができる。一般に防虫ネットは補修、交換のため取り外しできる構造になっているから、後付けすることも可能である。
【００４４】
なお、ネット保護パネル１６は上述のような円弧状に湾曲した形状に限定されない。例えば、コ字形等であってもよい。
【００４５】
ところで、空気流通用開口部まわりの構成は上述の形態に限定されない。例えば、図５〜図７に示されるように、カバー枠１４のサヤ部３１に取り付けた防虫ネット９を換気框５の開口面と略面一に設けるとともに、空気流通用開口部の両側部の縦框３に化粧枠３２を設ける構成としてもよい。
【００４６】
化粧枠３２は外側縁３３とこれよりも高くなるように立ち上げられた内側縁３４との間に波型の傾斜面３５を形成してなるもので、扉の表面板２９の高さと略同じ長さに形成されている。外側縁３３は表面板２９上に当接され、内側縁３４は縦框３に当接されて固定されている。化粧枠３２の上下端にはキャップ３６が取り付けられている。
【００４７】
ネット保護パネル１６は両側の化粧枠３２の屋外側に配置され、換気框５に着脱自在に設けられている。
【００４８】
すなわち、図９及び図１０に示されるように、換気框５の上下部框材１１、１２と縦框材１３には取付金具３７が固定され、取付金具３７の両側片３８にはビス４０が取り付けられている。ビス４０の頭部は両側片３８から浮くようにしておく。これに対し、ネット保護パネル１６の背面には長手方向に沿って平行な２個の突条４１が形成され、各突条４１の上記ビス４０に対応する位置には係合穴４２が形成され、この係合穴４２には取付板４３の両側の突片４４が差し込み固定されている。そして、取付板４３の両側にはそれぞれＬ形の取付片４５の一方の片４５ａがネジ止めにより固定されている。取付片４５の他方の片４５ｂにはＴ字形の係止溝４６が形成されている。
【００４９】
ネット保護パネル１６を取り付けるときは、図６及び図１１に示されるように、上記取付片４５の係止溝４６を換気框５の取付金具３７のビス４０に係合させ、さらに係止溝４６に沿ってビス４０をスライドさせながら端部に係止させ、その後ビス４０を締め付けて固定すればよい。ネット保護パネルはビス４０を緩めることにより簡単に取り外すことができる。
【００５０】
なお、ネット保護パネル１６の上下端にはキャップ４７がビス止め固定されている。キャップ４７にはネット保護パネル１６の上端を覆う覆い部４８と覆い部４８から扉側に突出して表面板に当接する凸部４９が形成され、凸部４９には上下方向に開口する中空部５０が形成されている。このため、キャップ４７がネット保護パネル１６の上下部からの空気の流通を妨げることはない。
【００５１】
上記構成によれば、ネット保護パネル１６と換気框５との間には、図８に示されるような通風間隙Ｓが形成され、蓋框６を開放することにより屋内外に空気流通路２０が形成される。しかも、化粧枠３２の内側縁３４は高くなるように形成されているから、屋外側からの視線は遮られ、蓋框６が開放された状態でも屋外側から屋内側を覗き込むことはできない。したがって、安全やプライベートが確保される。
【００５２】
また、空気流通用開口部の両側部には、ネット保護パネル１６の内側に上記扉の高さと略同じ長さの化粧枠３２を設けたから、扉全体の意匠性が向上する。
【００５３】
さらに、ネット保護パネル１６は簡単に着脱することができるから、防虫ネット９の清掃や交換等のメンテナンスを容易に行うことができる。
【符号の説明】
【００５４】
Ｋ  換気装置
Ｓ  通風間隙
５  換気框
６  蓋框
９  防虫ネット
１６  ネット保護パネル
３２  化粧枠
【図１】
2010043520.tif 000003
【図２】
2010043520.tif 000004
【図３】
2010043520.tif 000005
【図４】
2010043520.tif 000006
【図５】
2010043520.tif 000007
【図６】
2010043520.tif 000008
【図７】
2010043520.tif 000009
【図８】
2010043520.tif 000010
【図９】
2010043520.tif 000011
【図１０】
2010043520.tif 000012
【図１１】
2010043520.tif 000013